【手続補正書】
【提出日】平成29年10月27日(2017.10.27)
【手続補正１】
【補正対象書類名】特許請求の範囲
【補正対象項目名】全文
【補正方法】変更
【補正の内容】
【特許請求の範囲】
【請求項１】
帯電された感光体に潜像を形成してトナーを付着させることで画像を形成する画像形成装置であって、
形成する画像に対応する発光信号に基づいて発光し、帯電された前記感光体に光を照射して走査することで潜像を形成する光照射手段と、
前記感光体に付着させるトナーの複数の濃度レベルに対応して予め設定された複数の発光パターンに関する情報を記憶し、前記複数の発光パターンに関する情報に基づいて前記発光信号を生成する信号生成手段と、
を有し、前記信号生成手段は、前記発光パターンに関する情報に基づいて前記画像を構成する複数の画素に対応する前記発光信号を生成する画像形成装置において、
前記信号生成手段は、画像部に潜像を形成するための第１発光量に応じた第１発光パターンに関する情報と、前記第１発光量より少ない第２発光量であり、非画像部の電位を制御するための第２発光量に応じた第２発光パターンに関する情報と、を記憶しており、
前記光照射手段が、前記発光信号のうちの前記第２発光パターンに基づき生成された部分に基づいて走査している間のうち、前記光照射手段が走査方向に関して隣接して配置された２つの画素に対応する部分を走査する場合、
（ａ）前記２つの画素内において前記光照射手段が発光を開始するタイミング
（ｂ）前記２つの画素内において前記光照射手段が発光を終了するタイミング
のうちの少なくも一方が異なることを特徴とする画像形成装置。
【請求項２】
前記光照射手段が、前記発光信号のうちの前記第２発光パターンに基づき生成された部分に基づいて走査している間のうち、前記光照射手段が走査方向に関して隣接して配置された２つの画素に対応する部分を走査する場合、
前記光照射手段が発光を開始するタイミングから発光を終了するタイミングまでの時間間隔は同じであり、前記２つの画素内において前記光照射手段が発光を開始するタイミングが異なることを特徴とする請求項１に記載の画像形成装置。
【請求項３】
前記光照射手段が、前記発光信号のうちの前記第２発光パターンに基づき生成された部分に基づいて走査している間のうち、前記光照射手段が走査方向に関して隣接して配置された２つの画素に対応する部分を走査する場合、
前記２つの画素内において前記光照射手段が発光を開始するタイミングから発光を終了するタイミングまでの時間間隔が異なることを特徴とする請求項１に記載の画像形成装置。
【請求項４】
前記光照射手段が、前記発光信号のうちの前記第２発光パターンに基づき生成された部分に基づいて走査している間のうち、前記光照射手段が走査方向に関して隣接して配置された２つの画素に対応する部分を走査する場合、
前記２つの画素のうちの一方に対応する部分では、前記光照射手段は発光しないことを特徴とする請求項１乃至３のいずれか一項に記載の画像形成装置。
【請求項５】
前記光照射手段は前記感光体の表面上に照射した光のスポットを移動させる偏向手段を備え、
前記走査方向とは前記偏向手段による前記光のスポットの移動方向に対応する方向であることを特徴とする請求項１乃至４のいずれか一項に記載の画像形成装置。
【請求項６】
前記光照射手段が、前記発光信号のうちの前記第２発光パターンに基づき生成された部分に基づいて走査している間のうち、前記光照射手段が走査方向に直交する方向に関して隣接して配置された２つの画素に対応する部分を走査する場合、
（ａ）前記２つの画素内において前記光照射手段が発光を開始するタイミング
（ｂ）前記２つの画素内において前記光照射手段が発光を終了するタイミング
のうちの少なくも一方が異なることを特徴とする請求項１乃至５のいずれか一項に記載の画像形成装置。
【請求項７】
前記光照射手段が、前記発光信号のうちの前記第２発光パターンに基づき生成された部分に基づいて走査している間のうち、前記光照射手段が走査方向に直交する方向に関して隣接して配置された２つの画素に対応する部分を走査する場合、
前記２つの画素のうちの一方に対応する部分では、前記光照射手段は発光しないことを特徴とする請求項６に記載の画像形成装置。
【請求項８】
前記光照射手段は、帯電された複数の前記感光体にそれぞれ光を照射して走査を行い、
前記信号生成手段は、複数の前記感光体に対応した複数の前記第２発光パターンに関する情報を記憶しており、前記複数の第２発光パターンは互いに異なる発光パターンであることを特徴とする請求項１乃至７のいずれか一項に記載の画像形成装置。
【請求項９】
前記光照射手段は、１つの前記感光体へ光を照射する複数の光源を備え、
前記信号生成手段は、前記複数の光源をそれぞれ発光させるための複数の前記発光信号を生成し、
前記第２発光パターンは、前記複数の発光信号に対応する複数の発光パターンを含み、前記複数の発光パターンは互いに異なる発光パターンであることを特徴とする請求項１乃至８のいずれか一項に記載の画像形成装置。
【請求項１０】
前記信号生成手段は形成する画像に対応する印刷データを受信し、前記印刷データの各座標に対して、前記予め設定された複数の発光パターンのうち該各座標の濃度レベルに対応した発光パターンを配置することで前記発光信号を生成することを特徴とする請求項１乃至９のいずれか一項に記載の画像形成装置。
【請求項１１】
前記信号生成手段はクロック信号に同期させて発光パターンを出力することを特徴とする請求項１乃至１０のいずれか一項に記載の画像形成装置。
【請求項１２】
帯電された感光体に潜像を形成してトナーを付着させることで画像を形成する画像形成装置であって、
形成する画像に対応する発光信号に基づいて発光し、帯電された前記感光体に光を照射して走査することで潜像を形成する光照射手段と、
固定の周波数のクロック信号に同期して出力が切り換わる前記発光信号を生成し前記光照射手段へ出力する信号生成手段と、
を有する画像形成装置において、
前記信号生成手段は、画像部に潜像を形成するための第１発光量に応じた第１発光信号と、前記第１発光量より少ない第２発光量であり、非画像部の電位を制御するための第２発光信号と、を生成し、
前記第２発光信号に基づいて、前記光照射手段は非周期的なタイミングで発光することを特徴とする画像形成装置。
【請求項１３】
前記クロック信号は、前記光照射手段から前記感光体に光を照射可能な期間は少なくとも固定の周波数であることを特徴とする請求項１２に記載に画像形成装置。
【請求項１４】
帯電された感光体に潜像を形成してトナーを付着させることで画像を形成する画像形成装置であって
形成する画像に対応する発光信号に基づいて発光し、帯電された前記感光体に光を照射して走査することで前記感光体を露光して潜像を形成する光照射手段と、
前記光照射手段による前記感光体の露光量に応じて予め設定された複数の発光パターンに関する情報を記憶し、前記複数の発光パターンに関する情報に基づいて前記発光信号を生成する信号生成手段と、
を有し、前記信号生成手段は、前記発光パターンに関する情報に基づいて前記画像を構成する複数の画素に対応する前記発光信号を生成する画像形成装置において、
前記信号生成手段は、画像部に潜像を形成するための第１露光量に応じた第１発光パターンに関する情報と、前記第１露光量よりも小さい第２露光量であり、非画像部の電位を制御するための第２露光量に応じた第２発光パターンに関する情報と、を記憶しており、
前記光照射手段が、前記発光信号のうちの前記第２発光パターンに基づき生成された部分に基づいて走査している間のうち、前記光照射手段が、走査方向に関して隣接して配置された２つの画素に対応する部分を走査する場合、
（ａ）前記２つの画素内において前記光照射手段が発光を開始するタイミング
（ｂ）前記２つの画素内において前記光照射手段が発光を終了するタイミング
のうちの少なくも一方が異なることを特徴とする画像形成装置。
【請求項１５】
前記光照射手段が、前記発光信号のうちの前記第２発光パターンに基づき生成された部分に基づいて走査している間のうち、前記光照射手段が、走査方向に関して隣接して配置された２つの画素に対応する部分を走査する場合、
前記光照射手段が発光を開始するタイミングから発光を終了するタイミングまでの時間間隔は同じであり、前記２つの画素内において前記光照射手段が発光を開始するタイミングが異なることを特徴とする請求項１４に記載の画像形成装置。
【請求項１６】
前記光照射手段が、前記発光信号のうちの前記第２発光パターンに基づき生成された部分に基づいて走査している間のうち、前記光照射手段が、走査方向に関して隣接して配置された２つの画素に対応する部分を走査する場合、
前記２つの画素内において前記光照射手段が発光を開始するタイミングから発光を終了するタイミングまでの時間間隔が異なることを特徴とする請求項１４に記載の画像形成装置。
【請求項１７】
前記光照射手段が、前記発光信号のうちの前記第２発光パターンに基づき生成された部分に基づいて走査している間のうち、前記光照射手段が、走査方向に関して隣接して配置された２つの画素に対応する部分を走査する場合、
前記２つの画素のうちの一方に対応する部分では、前記光照射手段は発光しないことを特徴とする請求項１４乃至１６のいずれか一項に記載の画像形成装置。
【請求項１８】
前記光照射手段は前記感光体の表面上に照射した光のスポットを移動させる偏向手段を備え、
前記走査方向とは前記偏向手段による前記光のスポットの移動方向に対応する方向であることを特徴とする請求項１４乃至１７のいずれか一項に記載の画像形成装置。
【請求項１９】
前記光照射手段が、前記発光信号のうちの前記第２発光パターンに基づき生成された部分に基づいて走査している間のうち、前記光照射手段が走査方向に直交する方向に関して隣接して配置された２つの画素に対応する部分を走査する場合、
（ａ）前記２つの画素内において前記光照射手段が発光を開始するタイミング
（ｂ）前記２つの画素内において前記光照射手段が発光を終了するタイミング
のうちの少なくも一方が異なることを特徴とする請求項１４乃至１８のいずれか一項に記載の画像形成装置。
【請求項２０】
前記光照射手段が、前記発光信号のうちの前記第２発光パターンに基づき生成された部分に基づいて走査している間のうち、前記光照射手段が走査方向に直交する方向に関して隣接して配置された２つの画素に対応する部分を走査する場合、
前記２つの画素のうちの一方に対応する部分では、前記光照射手段は発光しないことを特徴とする請求項１９に記載の画像形成装置。
【請求項２１】
前記光照射手段は、帯電された複数の前記感光体にそれぞれ光を照射して走査を行い、
前記信号生成手段は、複数の前記感光体に対応した複数の前記第２発光パターンに関する情報を記憶しており、前記複数の第２発光パターンは互いに異なる発光パターンであることを特徴とする請求項１４乃至２０のいずれか一項に記載の画像形成装置。
【請求項２２】
前記光照射手段は、１つの前記感光体へ光を照射する複数の光源を備え、
前記信号生成手段は、前記複数の光源をそれぞれ発光させるための複数の前記発光信号を生成し、
前記第２発光パターンは、前記複数の発光信号に対応する複数の発光パターンを含み、前記複数の発光パターンは互いに異なる発光パターンであることを特徴とする請求項１４乃至２１のいずれか一項に記載の画像形成装置。
【請求項２３】
前記信号生成手段は形成する画像に対応する印刷データを受信し、前記印刷データの各座標に対して、前記予め設定された複数の発光パターンのうち該各座標の濃度レベルに対応した発光パターンを配置することで前記発光信号を生成することを特徴とする請求項１４乃至２２のいずれか一項に記載の画像形成装置。
【請求項２４】
前記信号生成手段はクロック信号に同期させて発光パターンを出力することを特徴とする請求項１４乃至２３のいずれか一項に記載の画像形成装置。
【請求項２５】
帯電された感光体に潜像を形成してトナーを付着させることで画像を形成する画像形成装置であって、
形成する画像に対応する発光信号に基づいて発光し、帯電された前記感光体に光を照射して走査することで潜像を形成する光照射手段と、
固定の周波数のクロック信号に同期して出力が切り換わる前記発光信号を生成し前記光照射手段へ出力する信号生成手段と、
を有する画像形成装置において、
前記信号生成手段は、画像部に潜像を形成するための第１露光量に応じた第１発光信号と、前記第１露光量よりも小さい第２露光量であり、非画像部の電位を制御するための第２発光信号と、を生成し、
前記第２発光信号に基づいて、前記光照射手段は非周期的なタイミングで発光することを特徴とする画像形成装置。
【請求項２６】
前記クロック信号は、前記光照射手段から前記感光体に光を照射可能な期間では少なくとも固定の周波数であることを特徴とする請求項２５に記載の画像形成装置。
【手続補正２】
【補正対象書類名】明細書
【補正対象項目名】００１０
【補正方法】変更
【補正の内容】
【００１０】
帯電された感光体に潜像を形成してトナーを付着させることで画像を形成する画像形成装置であって、形成する画像に対応する発光信号に基づいて発光し、帯電された前記感光体に光を照射して走査することで潜像を形成する光照射手段と、前記感光体に付着させるトナーの複数の濃度レベルに対応して予め設定された複数の発光パターンに関する情報を記憶し、前記複数の発光パターンに関する情報に基づいて前記発光信号を生成する信号生成手段と、を有し、前記信号生成手段は、前記発光パターンに関する情報に基づいて前記画像を構成する複数の画素に対応する前記発光信号を生成する画像形成装置において、前記信号生成手段は、画像部に潜像を形成するための第１発光量に応じた第１発光パターンに関する情報と、前記第１発光量より少ない第２発光量であり、非画像部の電位を制御するための第２発光量に応じた第２発光パターンに関する情報と、を記憶しており、前記光照射手段が、前記発光信号のうちの前記第２発光パターンに基づき生成された部分に基づいて走査している間のうち、前記光照射手段が走査方向に関して隣接して配置された２つの画素に対応する部分を走査する場合、
（ａ）前記２つの画素内において前記光照射手段が発光を開始するタイミング
（ｂ）前記２つの画素内において前記光照射手段が発光を終了するタイミング
のうちの少なくも一方が異なることを特徴とする。